(57)【要約】  【課題】観音開き冷蔵庫の回転仕切体からのヒートリーク量を抑制し、冷蔵庫の消費電力量を低減させる。  【解決手段】第１扉２と第２扉３と、第１扉２の開放端側には、第２扉３側へ進退する様に回動する仕切体４が内面材６に取り付けてある。仕切体４は、当板１３と仕切体本体上側部材１０と仕切体本体下側部材１１と発泡断熱部材１４を有し、当板１３は断面略コ字形状の金属でその周縁を金属にくらべ伝熱能力の低い樹脂製の仕切体本体上側部材１０により囲われ、かつ断熱部材１４により庫内冷気からの伝熱を受けやすい当板１３側面部の断熱能力を高めている。これにより、当板１３からのヒートリーク量を抑制することができ、冷蔵庫の消費電力量の低減に寄与することができる。【選択図】図４
2008069998.tif 000002
【特許請求の範囲】
【請求項１】
貯蔵室の前面開口部を閉塞するように観音開き式の扉を設け、当該扉の裏面周縁に設けられ冷蔵庫本体開口縁に当接するガスケットと、当該扉の非枢支側内面に回転式の仕切体を設けた冷蔵庫の扉装置において、前記仕切体のガスケットが当接する平面は、熱伝導性の高い着磁性を有する当板と熱伝導性の低い仕切体本体にて構成され、前記当板の周縁を仕切体本体で囲うことを特徴とする冷蔵庫の扉装置。
【請求項２】
前記当板の断面をコの字形状としたことを特徴とする請求項１に記載の冷蔵庫の扉装置。
【請求項３】
前記仕切体の内部には、前記当板の周縁を囲うように断熱部材を設けたことを特徴とする請求項１または２に記載の冷蔵庫の扉装置。
【請求項４】
前記仕切体本体は、略箱形形状をしており、ガスケット当接面側の仕切体本体上側部材と冷蔵庫庫内側の仕切体本体下側部材との２部品構成としたことを特徴とする請求項１から３のいずれか一項に記載の冷蔵庫の扉装置。
【発明の詳細な説明】
【技術分野】
【０００１】
本発明は、回転式仕切体を有する観音開き冷蔵庫の扉装置に関するものである。
【背景技術】
【０００２】
従来、この種の冷蔵庫の扉装置は、断面略コ字形状をなす樹脂部材と同じく断面略コ字形状をなす金属部材と前記樹脂部材と前記金属部材とで形成される空間に収納される断熱材とで構成される、回転式の仕切体を有する（例えば、特許文献１参照）。
【０００３】
図５は、特許文献１に記載された従来の冷蔵庫の回転式仕切体の分解斜視図である。
【０００４】
図５に示すように、仕切体１０１は、断面略コ字状をなす合成樹脂製の本体１０２と、この本体１０１の上下端部に取り付けられるキャップ１０３と、本体１０２及びキャップ１０３に取り付けられ本体との間に空間を形成する断面略コ字状をなす金属製の当板１０４と、当板１０４と本体１０２とで形成された空間に収納される発泡スチロール等の断熱材１０５と、仕切体１０１と冷蔵庫扉とを連結するヒンジ部材１０６から構成されている。
【０００５】
これにより、観音開き冷蔵庫において、仕切体１０１の設置された扉を閉じた時だけガスケットの当設面を当板１０４により形成して冷蔵庫内の機密性を確保すると共に食品の取り出し性を向上させ、かつ仕切体１０１内に設置された断熱材１０５により仕切部の断熱性能を向上させることができる。
【特許文献１】特許第２８０４６８２号公報
【発明の開示】
【発明が解決しようとする課題】
【０００６】
しかしながら、上記従来の構成では、断面略コ字状をなす当板の側面部が冷蔵庫内の冷気により冷やされやすい構成となっており、かつ熱伝導性の高い金属製の当板が、仕切体の冷蔵庫外側露出面の略全面を占有するため、冷蔵庫外へのヒートリーク量が多くなり、消費電力量が多くなるという課題を有していた。
【０００７】
本発明は上記従来の課題を解決するもので、金属性で伝熱性の高い断面略コ字状の当板の側面部と庫内冷気の間を断熱性の高い部材にて囲い、かつ当板の表面積を小さくしてヒートリーク量を抑制し、冷蔵庫の消費電力能力を向上させることのできる冷蔵庫の扉装置を提供する事を目的とする。
【課題を解決するための手段】
【０００８】
上記従来の課題を解決するために、本発明の冷蔵庫の扉装置は、貯蔵室の前面開口部を閉塞するように観音開き式の扉を設け、当該扉の裏面周縁に設けられ冷蔵庫本体開口縁に当接するガスケットと、当該扉の非枢支側内面に回転式の仕切体を設けた冷蔵庫の扉装置において、前記仕切体のガスケットが当接する平面は、熱伝導性の高い着磁性を有する当板と熱伝導性の低い仕切体本体にて構成され、前記当板の周縁を仕切体本体で囲うものである。
【０００９】
これによって、仕切体のガスケット当接面端部すなわち庫内から当板までの距離を長く設定することができる。
【発明の効果】
【００１０】
本発明の冷蔵庫の扉装置は、仕切体のガスケットが当接する平面は、熱伝導性の高い着磁性を有する当板と熱伝導性の低い仕切体本体にて構成され、当板の周縁を仕切体本体で囲うことにより、当板からのヒートリーク量を抑制し冷蔵庫の消費電力量を低下させることができる。
【発明を実施するための最良の形態】
【００１１】
請求項１に記載の発明は、貯蔵室の前面開口部を閉塞するように観音開き式の扉を設け、当該扉の裏面周縁に設けられ冷蔵庫本体開口縁に当接するガスケットと、当該扉の非枢支側内面に回転式の仕切体を設けた冷蔵庫の扉装置において、前記仕切体のガスケットが当接する平面は、熱伝導性の高い着磁性を有する当板と熱伝導性の低い仕切体本体にて構成され、前記当板の周縁を仕切体本体で囲うものであり、仕切体のガスケット当接面端部すなわち庫内から当板までの断熱距離を十分に確保し断熱性を高めているため、当板からのヒートリーク量を抑制し冷蔵庫の消費電力能力を向上させることができる。
【００１２】
請求項２に記載の発明は、請求項１に記載の発明において、前記当板の断面をコの字形状としたものであり、仕切体の構造的強度が向上し、外力などによる仕切体の変形を抑制し、ガスケット当接面の隙の発生などによる庫内冷気漏れを防止することができる。
【００１３】
請求項３に記載の発明は、請求項１または２に記載の発明において、前記仕切体の内部には、前記当板の周縁を囲うように断熱部材を設けたものであり、冷蔵庫内冷気により冷やされやすい当板が断熱部材にて断熱されることとなり、当板からのヒートリーク量を抑制し冷蔵庫の消費電力能力を向上させることができる。
【００１４】
請求項４に記載の発明は、請求項１から３のいずれか一項に記載の発明において、前記仕切体本体は、略箱形形状をしており、ガスケット当接面側の仕切体本体上側部材と冷蔵庫庫内側の仕切体本体下側部材との２部品構成としたものであり、略箱形形状の仕切体本体の作成が容易となるなど、仕切体本体の金型製作などにも配慮がなされているので、効率よく部品の製作を行うことができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１による観音開き式冷蔵庫の概略上面図である。図２は、同実施の形態による扉の斜視図。図３は、同実施の形態による冷蔵庫の扉装置の仕切体の分解斜視図である。図４は、同実施の形態による観音開き式冷蔵庫の扉閉時における要部断面図である。
【００１７】
図１において、冷蔵庫１の収納庫は両開き式の一対の扉によって開閉されるものであり、この一対の扉をなす第１扉２と第２扉３は、それぞれ外側がヒンジにより冷蔵庫１に軸支持されている。
【００１８】
第１扉２、第２扉３は、図２に示すように、外面材５と、内面材６、上キャップ７、下キャップ８から構成される閉空間に断熱材９を充填して扉本体が構成される。第１扉２の開放端側には、第２扉３側へ進退する様に回動する仕切体４が内面材６に取り付けてある。
【００１９】
図３、図４において、仕切体本体上側部材１０と仕切体本体下側部材１１とキャップ１２は、仕切体４の外郭を略箱状に構成する部品で、主に樹脂で構成されている。
【００２０】
仕切体本体上側部材１０には、着磁性を有する金属製の当板１３を収納するための穴があいており、仕切体本体上側部材１０と当板１３とで、冷気を封止するためのガスケット６ａの当接面を形成する。
【００２１】
当板１３は、断面略コ字形状をしており、上下に形成した固定用穴１３ａとビス穴１３ｂと両側面に形成したツメ１３ｃと、固定用ビス１３ｄとにより、仕切体本体上側部材１０へ固定されている。当板１３の内側には、当板１３表面の結露を防止する為の加熱板１３ｅが当板１３の裏面略全面にわたり貼り付けられている。仕切体本体上側部材１０と仕切体本体下側部材１１とキャップ１２と当板１３とで構成された仕切体内部の空間には断熱部材１４が構成され、特に当板１３の側面を包む様に形成されている。仕切体４は、取り付け用部材１５ａ、１５ｂにより第１扉２へ回動する様に取り付けられている。仕切体本体下側部材１１には、仕切体４の回動を補助するためのスプリング１６と、スプリング取り付け部材１６ａと仕切体４の回動時の衝撃音を緩和するためのクッション１７が設置されている。
【００２２】
以上のように構成された冷蔵庫の扉装置について、以下その動作、作用を説明する。
【００２３】
まず、当板１３は断面略コ字形状の金属製であるため、仕切体４の強度を高めることができ、仕切体４の変形に起因したガスケット当接面の隙による庫内冷気漏れを防止することができる。また、ガスケット６ａに含まれるマグネットが吸着し易いため、前記変形などによる当接条件悪化時に、ガスケット当接面の隙による庫内冷気漏れをさらに防止することができる。また、加熱板１３ｅからの熱量を効率よく吸収することができ、加熱板による過度な発熱量を抑制し冷蔵庫の消費電力量の低減に寄与することができる。
【００２４】
また、当板１３は周縁を金属にくらべ伝熱能力の低い樹脂製の仕切体本体上側部材１０により囲われ、かつ発泡断熱体などの断熱部材１４により庫内冷気からの伝熱を受けやすい当板１３側面部の断熱能力を高めている。これより、従来のものに比べガスケット当接面における当板１３の占有面積が縮小し、かつ当板１３周囲の断熱性が高まっているため、当板１３からのヒートリーク量を抑制することができ、冷蔵庫の消費電力量の低減に寄与することができる。
【００２５】
また、当板１３の周縁を仕切体本体で囲うことで、略箱型形状の仕切体本体は袋状となり成形用金型の制作難度が高くなるが、仕切体本体をガスケット当接面側と冷蔵庫庫内側との２部品構成としたことにより、略箱形形状の低伝熱部材のガスケット当接面を構成する面の作成が容易となるなど、低伝熱部材の金型製作にも配慮がなされているので、効率よく部品の製作を行うことができ、冷蔵庫の製作コスト低減などに寄与することができる。
【産業上の利用可能性】
【００２６】
以上のように、本発明にかかる冷蔵庫の扉装置は、当板からのヒートリーク量を抑制し冷蔵庫の消費電力能力を向上させることができるため、仕切部材を有する観音開き式の扉装置にも適用できる。
【図面の簡単な説明】
【００２７】
【図１】本発明の実施の形態１による観音開き式冷蔵庫の概略上面図
【図２】同実施の形態による扉の斜視図
【図３】同実施の形態による冷蔵庫の扉装置の仕切体の分解斜視図
【図４】同実施の形態による観音開き式冷蔵庫の扉閉時における要部断面図
【図５】従来の冷蔵庫の回転式仕切体の分解斜視図
【符号の説明】
【００２８】
１    冷蔵庫
２    第１扉
３    第２扉
４    仕切体
６ａ  ガスケット
１０  仕切体本体上側部材
１１  仕切体本体下側部材
１３  当板
１４  断熱部材
【図１】
2008069998.tif 000003
【図２】
2008069998.tif 000004
【図３】
2008069998.tif 000005
【図４】
2008069998.tif 000006
【図５】
2008069998.tif 000007